(57)【要約】【課題】表裏編地から筒状に形成され且つパターンの連続を有する経編地において、連続的に、表裏編地の所定の位置に正確かつ容易に捺染を施し、それにより、時間と人手を省略し、生産性向上に寄与しうる経編地の捺染方法と、その方法に用いる経編地を提供する。【解決手段】パターン間の境界部において、表裏編地を連結編みした。  そして、この連結編みの部分またはそこに設けた目印を認識し、これにより、パターンの位置を認識して、適確に捺染できるようにした。【選択図】  図１
2007182638.tif 000002
【特許請求の範囲】
【請求項１】
長尺状の表裏編地よりなる伸縮性生地において、少なくとも経方向に複数のパターンをその間に境界部を介して並設してなり、前記境界部は、表裏編地が連結されていることを特徴とする伸縮性生地。
【請求項２】
前記の伸縮性生地の左右両側にも、表裏編地が連結されてなる境界部が設けられていることを特徴とする請求項１に記載の伸縮性生地。
【請求項３】
前記のパターンが伸縮性生地の緯方向にも複数並設されており、緯方向に隣接するパターンの間及び／又は伸縮性生地の左右両側にも、表裏編地が連結されてなる境界部が設けられていることを特徴とする請求項１または２に記載の伸縮性生地。
【請求項４】
前記の伸縮性生地が経編地であることを特徴とする請求項１〜３のいずれか１項に記載の伸縮性生地。
【請求項５】
前記の経編地が筒状に編成されていることを特徴とする請求項４に記載の伸縮性生地。
【請求項６】
前記境界部である前記表裏編地の連結部において、開口部、凹凸、文字、記号等よりなる目印が表示されていることを特徴とする請求項１〜５のいずれか１項に記載の伸縮性生地。
【請求項７】
前記目印が編成または織成により形成されていることを特徴とする請求項６に記載の伸縮性生地。
【請求項８】
四周を経緯の前記境界部の４つにより囲繞された領域において、前記パターンと捨て部となるその余の個所とが含まれており、前記伸縮性生地の形成後、パターンの外形線に沿って切断することにより、前記捨て部を切除するようになしことを特徴とする請求項１〜７のいずれか１項に記載の伸縮性生地。
【請求項９】
請求項１〜８のいずれか１項に記載の伸縮性生地を染色するに際し、前記境界部またはこれに設けた目印を染色機において検知することにより、前記伸縮性生地におけるパターンないしパターンの特定の個所の位置を認識して、そこに染色するようになしたことを特徴とする伸縮性生地の染色方法。
【請求項１０】
前記染色が捺染またはインクジェットによることを特徴とする請求項９に記載の伸縮性生地の染色方法。
【発明の詳細な説明】
【技術分野】
【０００１】
この発明は、伸縮性生地と、その染色方法とに関し、詳しくは、複数のパターンを有する伸縮性生地におけるパターンの所定位置に連続的に染色するための伸縮性生地と、前記伸縮性生地の染色方法とに関する。
【０００２】
ここで、「パターン」とは、シャツ、パンツなどの最終製品の形態をいう。
【背景技術】
【０００３】
従来、布帛に捺染を施し、そのあと布帛をパターンに裁断して縫製し、製品にすることが一般的に行われてきた。
【０００４】
近年、丸編、横編などにより筒編地として一体に編成した最終製品に直接捺染することも行われており、この場合は、製品をそれぞれ別々に捺染機に設置して、捺染している。また、表裏ともに捺染する場合には、表編地の捺染後に手作業で裏返して裏編地を捺染しており、いずれにしても、多大の時間と労力を要していた。
【０００５】
このような問題点は複数のパターンを有する伸縮性生地、たとえば経方向に多数のパターンを連続編成してなる筒状編地（特許文献１）の場合にはさらに顕著である。すなわち、経方向に長尺状の伸縮性生地において複数のパターンが連続的に配されているので、捺染機、インクジェット装置などに伸縮性生地を供給する際に、経方向にかかる張力により、各パターンが所定の染色位置からはずれることとなり、各パターンの所定個所に所定の柄等を染色することが困難であるという問題があった。
【特許文献１】特公昭５２−１２３０６号公報
【発明の開示】
【発明が解決しようとする課題】
【０００６】
この発明は、パターンの連続を有する伸縮性生地について、連続的に、表裏編地の少なくとも一方の所定位置に正確かつ容易に染色を施し、それにより、時間と人手を省略し、生産性向上に寄与しうる伸縮性生地と、その染色方法を提供することを目的とするものである。
【０００７】
この発明は、それ自体伸縮性を有する経編地、丸編地、横編地などの編地と、少なくとも経方向に伸縮性糸を配した織地とに適用が可能である。ただ、連続的にパターンを編成することが容易ではない丸編地、横編地、織地に比して、経編地が本発明にはもっとも適切である。
【課題を解決するための手段】
【０００８】
この発明の伸縮性生地は、長尺状の表裏編地よりなる伸縮性生地において、少なくとも経方向に複数の、シャツ、パンツなどのパターンをその間に境界部を介して並設してなり、前記境界部は、表裏編地が連結されたものである（請求項１）。
【０００９】
この発明の伸縮性生地によれば、伸縮性生地の位置を境界部を介して検知することができるので、かりに、伸縮性生地が経方向において伸長し、所定位置からはずれているとしても、各パターンの位置を正しく認識して、これを適切に補正することができる。
【００１０】
前記の伸縮性生地の左右両側にも、表裏編地が連結されてなる境界部を設けることができる（請求項２）。このようにすれば、伸縮性生地が緯方向において伸長し、所定位置からはずれているとしても、パターンの位置を正しく認識して、これを適切に補正することができる。
【００１１】
パターンは、伸縮性生地の緯方向すなわち幅方向にも複数が並設されており、緯方向に隣接するパターンの間及び／又は伸縮性生地の左右両側にも、表裏編地が連結されてなる境界部が設けられていてよい（請求項３）。このようにすれば、幅方向に複数のパターンが設けられている場合であっても、幅方向におけるパターン間の境界部ないし幅方向の縁部を認識することによりパターンの位置を正しく把握し、パターンにおけるしかるべき位置に所望の染色をすることが可能である。
【００１２】
伸縮性生地は経編地であるのが好ましく（請求項４）、特に、筒状に編成されていることが好ましい（請求項５）。この場合、パターンは少なくとも編成方向（経方向）に連続して配される。
【００１３】
このように、伸縮性生地が経編地である場合、各パターンにおいては、表裏編地が２枚に分離して編成されており、隣接するパターンの境界部においては、表裏編地が一体に連結編成されている。すなわち、別の組織で編成されている。
【００１４】
なお、本願において、「境界部」は、伸縮性生地（たとえば、筒状経編地）の左右両側縁部も含む。
【００１５】
伸縮性生地が経編地である場合、これを編成する経編機は、ジャカード機構を有するダブルラッシェル機であることが好ましい。
【００１６】
そして、この筒編地は、表裏編地を有する筒状に編成されたものであり、表裏編地に、シャツ、パンツなどのパターンを連続的に編成している。この筒編地は、少なくとも経方向にパターンを連続的に反復しており、隣接するパターン同士の間に、別の編地、すなわち表裏編地が連結した二重編地部分を有する。後述のように、染色機がこの別の編地を検知し、パターンの位置を認識して、パターンに沿って、またはパターンの所定箇所において、編地に染色することができる。
【００１７】
前記パターンの境界部、すなわち前記表裏編地の連結部には、目印としての開口部、凹凸、文字、記号等よりなる目印が表示されているのが好ましい（請求項６）。
【００１８】
また、前記の目印は編成または織成により形成されるのが好ましく（請求項７）、特に、伸縮性生地が経編地である場合には、この目印を、表裏連結された編地部分においてジャカードにより編成するのが好ましい。
【００１９】
四周を経緯の前記境界部の４つにより囲繞された領域において、前記パターンと捨て部となるその余の個所とが含まれており、前記伸縮性生地の形成後、パターンの外形線に沿って切断することにより、前記捨て部を切除するようになすことが好ましい（請求項８）。
【００２０】
上記の伸縮性生地の染色方法としては、前記境界部またはこれに設けた目印を染色機において検知することにより、前記伸縮性生地におけるパターンないしパターンの特定の個所の位置を認識して、そこに染色する（請求項９）。
【００２１】
前記染色は、捺染またはインクジェットによるのが好ましい（請求項１０）。
【００２２】
捺染による場合は、たとえば、経編地を捺染機に対して長手方向に間歇的に走行させながら、捺染機が経編地における前記の境界部ないしそこにおける特定の位置を認識した時に、経編地の走行を停止させ、捺染機が、この境界部に関して所定位置にあるパターンを認識して、このパターンにおける経編地の表裏に所定デザインでの捺染を施す。
【００２３】
また、インクジェットによる場合は、たとえば、経編地をインクジェット機に対して長手方向に連続的に走行させながら、インクジェット機が経編地における前記の境界部ないしそこにおける特定の位置を認識した時に、インクジェット機が、この境界部に関して所定位置にあるパターンの特定個所を認識して、そこにおける経編地の表裏に染色を施す。このようなインクジェットを連続的に行うことにより所定デザインを染色する。
【発明の効果】
【００２４】
この発明の伸縮性生地を染色する場合には、パターン間における表裏編地が連結されてなる境界部の位置を認識し、これにより、パターンないしその特定個所に染色するものである。この連結部分は表裏編地が経方向及び緯方向にずれることがなく、さらに、パターンにおける伸縮性生地とは異なるため、パターンないしその特定個所の位置を正確かつ容易に認識することができる。
【発明を実施するための最良の形態】
【００２５】
図１は、この発明を経編地で実現した場合の一実施例を示す。
【００２６】
経編地１０は、表裏の編地１２，１４により筒状に形成されている（表側の編地１２のみが図示されている）。この筒状の経編地１０は、経方向に多数のパターン１６が、また緯方向にも複数のパターン１６が連続形成されている。図１では、緯方向に二つのパターン１６，１６が並び、このような一組のパターン１６，１６が経方向に多数並んでいる。
【００２７】
隣接するパターン１６，１６の間の境界部１８，１９においては、表裏編地を一体に連結編成している。これにより、境界部１８，１９はパターン１６，１６とは異なる組織に現れる。
【００２８】
なお、図１における筒状の経編地の両側縁部１９は、厳密にはパターン１６間の境界部とはいえないが、この発明においては、この部分も含めて境界部と称することとする。
【００２９】
また、図１において、各パターン１６はシャツの形態をなしている。この場合、パターン１６間の境界部すなわち連結編部分１８，１９により囲繞される領域１７は、パターン１６とその余の個所である捨て部２３とから構成されている。
【００３０】
編成後、表裏編地１２，１４をパターン１６の外形線２５に沿って切断する。図２に示すように、パターン１６の外形線２５の両側には表裏の編地１２，１４を一体に連結編みしてなる連結部１３，１３が存在している。外形線２５自体は、連結部１３，１３間において部分的に編糸が掛け渡された孔地として形成されている（不図示）ので、この箇所において切断が容易である。そして、切断箇所である外形線２５の両側に連結部１３，１３が存在するので、パターン１６を切離した際に、パターン１６における表裏編地１２，１４が分離することがなく、縫製までの取扱が容易である。外形線２５の両側に連結部１３，１３が設けられていない場合には、切断後、外形線２５の内側を縫製する。
【００３１】
前記のパターンが伸縮性生地の緯方向にも複数並設されている場合には、緯方向に隣接するパターン間と伸縮性生地の左右両側縁とに、表裏編地が連結された境界部を設けることができるが、これに代えて、パターン間と伸縮性生地の左右両側縁とのいずれか一方のみに境界部を設けてもよい。また、経方向に隣接するパターン間における境界部、緯方向に隣接するパターン間における境界部のいずれについても、必ずしも、隣接する各２つのパターン間において必ず設ける必要はなく、必要に応じて選択的に設けてもよい。
【００３２】
経編地１０は、少なくとも２枚の地筬と少なくとも２枚のジャカード筬を有するラッシェル経編機を使用して編成する。図３は、このようなラッシェル経編機を模式的に示しており、これは、２つの針列３０，３２と、針列３０，３２に対応して設けた２列の地筬Ｌー１、Ｌー４と、２列のジャカード筬Ｌー２、Ｌー３を備えている。地筬Ｌー１には表側の編地１２の鎖編列を構成する経糸３４が挿通され、地筬Ｌー４には裏側の編地１４の鎖編列を構成する経糸３６が挿通される。また、ジャカード筬Ｌー２，Ｌー３にはそれぞれ経糸３８，４０が挿通されている。そして、パターン１６においては、針列３０および筬Ｌー１、Ｌー２によって経糸３４，３８により表側の編地１２が編成されると同時に、針列３２および筬Ｌー４、Ｌー３によって経糸３６，４０により裏側の編地１４が編成され、これら表裏の編地１２，１４は、相互に分離している。そして、ジャカード筬Ｌ−２、Ｌー３は、隣接するパターン１６，１６間の境界部１８，１９に沿って表裏の編地１２，１４を経糸３８，４０により綴じ、これにより、境界部１８，１９において、表裏の経編地１２，１４がパターン１６の外周に沿って表裏連結されることになる。
【００３３】
上記の編成は、図４に示す組織による。同図の「筒編部」に示すように、パターン１６においては、フロント側では、筬Ｌ−１により経糸３４によって多数の鎖編列が形成され、これら鎖編列がジャカード筬Ｌ−２により経糸３８によって編成されて、表側の編地１２が形成される。同様にして、バック側においては、筬Ｌ−４、Ｌ−３により裏側の編地１４が形成される。また、図４の「表裏連結部」において示すとおり、パターン１６間の境界部（連結編部）１８，１９を編成するには、フロント側のジャカード筬Ｌ−２により案内される経糸３８は、Ｂ１、Ｂ２において、バック側に掛け渡され、バック側のジャカード筬Ｌ−３により案内される経糸４０および筬Ｌ−４により案内される経糸３６にからみ、また、バック側の筬Ｌ−３により案内される経糸４０は、Ｆ１、Ｆ２、Ｆ３において、フロント側に掛け渡され、フロント側のジャカード筬Ｌ−２により案内される経糸３８および筬Ｌ−１により案内される経糸３４にからみ、このようにして、表裏連結編地が形成される。
【００３４】
したがって、パターン１６，１６間の境界部１８，１９においては、パターン１６とは編み組織が異なっていて、一例として編み密度が大となり、このような編み密度の相違により、捺染機によりその位置が認識される。
【００３５】
境界部１８，１９において、目印２１として、たとえば、開口部（透孔）を設けておくのが好ましい。図１では、まず、目印２１は、長手方向に隣接するパターン１６，１６の境界部１８に配されている。開口部の３つの例を図５の(a)、(b)、(c)に示す。同図に示すように、開口部５０，５２，５４はそれぞれ矩形、楕円形、菱形とすることができ、また、その他の任意の形状でもよい。図５の各図においては、ジャカードを用いて、全体を薄地に、目印２１の周縁を厚地に、その内部を孔地に形成している。もちろん、開口部以外にも、目印部分の組織を他と異なるものにしたり、目印２１として、文字、図形などを表示したり、目印部分の色彩を他と異なるものにするなど任意の手段を採用することができる。前記の目印２１により、経編地１０の長手方向における位置を検出することができる。
【００３６】
このような目印は各境界部において設ける必要は必ずしもなく、必要に応じて選択的に設けてもよい。
【００３７】
図１においては、また、緯方向に隣接する２つのパターン１６，１６の間の境界部１８と両側にある境界部１９，１９においても目印２１が設けられている。これらの目印２１は、経編地１０の緯方向における位置を検出し、必要に応じてその位置を補正するためのものである。特に、これらの目印２１としては、図示の部分的なものに代えて、経編地１０の全長にわたって伸びる色糸などであってもよい。
【００３８】
このような経編地１０におけるパターン１６に対して表裏両面同時に捺染する場合には、図６に示すような両面スクリーン捺染機６０を用いることができる（たとえば、特開昭５９−２６５８５号公報参照）。６２，６４は移送ベルトであって、原反である経編地１０を上下両面から挟んで、これを水平方向Ｈに移送する。移送ベルト６２，６４は粗い網状であり、前後２対のローラ６６，７０，６８，７２を介して、不図示の駆動手段により間歇的に移動する。
【００３９】
経編地１０を鋏んだ移送ベルト６２，６４の両側においては、図示の実施例の場合、上下２台一組のスクリーン枠７４、７６が、経編地１０の走行方向において間隔をおいて３組配されている。この３組は、捺染する色の数に応じて配されている。各スクリーン枠７４，７６には、捺染する図柄を表示したスクリーンが貼設されている（不図示）。
【００４０】
各スクリーン枠７４，７６には、これに沿って、紙面に垂直な方向に往復動可能なスケージ７８，８０が配されており、経編地１０のパターン１６に捺染糊を摺り付ける。なお、８２，８４は、移送ベルト６２，６４に付着した捺染糊を除去する洗浄装置である。
【００４１】
移送ベルト６２，６４がその間歇的な動きの中で停止した際に、スクリーン枠７４，７６は上下両側から移送ベルト６２，６４に接近して、移送ベルト６２，６４の網目を通して、経編地１０に接する。このとき、スケージ７８，８０が捺染糊を経編地１０に摺りつけながら水平方向に移動する。このあと、スクリーン枠７４，７６が移送ベルト６２，６４から離れ、移送ベルト６２，６４がＨ方向に移動する。これにより、経編地１０は一定距離移送される。以降、この一連の動作の繰り返しにより、経編地１０の表裏に順次異なる色の染色がなされて、経編地１０に多色の模様が完成する。
【００４２】
以上のような捺染機において、図７に示すように、ビデオセンサ１００を、移送ベルト６２，６４への経編地１０の供給位置１１０と、それに最も近接した（図７における最も左の）スクリーン枠７４，７６との間に設けることができる。この場合、光源１１８によって照明された検出位置１１７を通過する経編地１０の目印２１（図７において不図示）をＣＣＤカメラ１１９によって読み取って電気信号に変換する。
【００４３】
目印２１としては種々のものがあり得るが、たとえば、編糸の色が異なっている場合には、その色の色相を明暗信号としてＣＣＤカメラ１１９に読み取らせることができる。また、凹凸など、編組織を異ならせることによって目印２１が現れている場合は、編組織の相違による光の反射率ないし反射角の相違を利用して、その目印を明暗信号としてＣＣＤカメラに読み取らせることができる。
【００４４】
このような目印２１が読み取られたときに、移送ベルト６２，６４の走行が停止し、これとともに、経編地１０の走行が停止する。そして、前記の検出位置１１７に関して位置が固定したスクリーン枠７４，７６により、前記の経編地１０の目印２１に関して位置固定のパターン１６における所定箇所に捺染が施される。
【００４５】
また、これに代えて、図８に示すように、移送ベルト６２，６４への経編地１０の供給位置１１０と、それに最も近接したスクリーン枠７４，７６との間における検出位置１１７において、移送ベルト６２，６４および経編地１０を鋏んで、その上下に発光素子１３０と受光素子１３２とを配してもよい。この場合、図１の経編地１０を用いる。この経編地１０の開口部５０，５２，５４が通過するときに、それを検知して、その位置で移送ベルト６２，６４を停止させることができる。
【００４６】
しかし、上記のように、格別の目印を設けずとも、パターン１６間の境界部１８，１９がパターン１６と編組織が異なっていること自体を目印として、図７に示すビデオセンサ１００などにより当該境界部１８，１９を認識するようにしてもよい。
【００４７】
このように、パターン１６間の境界部１８，１９の編地として表裏編地が連結されたものを採用することにより、この個所が経方向及び緯方向にずれることがない。また、境界部１８，１９の編地はパターン１６における編地とは組織が異なるため、その認識が容易である。
【００４８】
境界部１８，１９に設ける開口部、凹凸、文字、記号などの目印の大きさは、経方向及び緯方向に５〜３０ｍｍであることが好ましい。５ｍｍ未満では、認識するべき個所（目印）が小さすぎて、認識が困難である。また、３０ｍｍを超えると、パターン１６間の境界部１８，１９の編地が延びやすく、パターンが変形し、捺染の位置がずれる問題が生じる。
【００４９】
また、パターン１６間の境界部１８，１９の経方向及び緯方向における幅は、１０〜１００ｍｍであることが好ましく、特に、２０〜７０ｍｍが好ましい。
【００５０】
以上のスクリーン捺染に代えてインクジェット方式により染色することができる。図９は、インクジェット装置の概略側面図である。経編地１０はガイドロール２００からほぼ垂直に下方に導かれ、張力調整ロール２１０によって経編地１０上に一定の張力をかけるとともに、経編地１０の方向を変え、引き出しガイドロール２２０に誘導される。ロール２００，２１０の間に、経編地１０の表裏双方に位置し且つ経編地１０の幅より長く設定された水平シャフト２３０，２３０上を往復走査するインクジェットノズルヘッド２４０，２４０が平行かつ所定距離を保ち設置され、経編地１０の間歇的移動と処理液粒付与をコンピュータ制御し、プログラム作動されることによって、経編地１０がノズルヘッド間を通過する間に編地１０の表裏に吹き付け、液粒層が形成される。このようにして、染色が行われる。
【００５１】
インクジェット方式の場合にも、識別目印２１の検知はスクリーン捺染の場合と同様に行う。すなわち、布帛（たとえば経編地）の編組織の態様（編地表面の凹凸、孔地の有無、編地の密度）や色糸などを目印として、目印とその余の個所における光反射率の差を用いて目印を検知する。検知器としては、光センサ全般や分光光度計などを用いる。走行する布帛における色糸、表面の凹凸、明暗（光の透過量）などの光特性の変化を検知する。目印におけるこのような変化を捉え、これにより目印の位置を認識するとともに、走行する長さ方向の印写位置を決定する。このためには、前記のとおり、隣接するパターンの間に検知できる目印を少なくとも１個所設ける必要がある。上記の検知器に代えて、あるいはこれと共に、ＣＣＤカメラを用いることもできる。布帛の幅方向の位置検出も送り方向のそれと同様であって、布帛両端（図１の境界部１９）に目印となる色糸や、凹凸などを設け、前記の光センサなどにより検知する。このようにして、布帛がＸ−Ｙ方向の所定位置にもたらされた時点で印写始点が決定される。
【００５２】
この発明の伸縮性生地としては、第１図の実施例において用いた経編地だけではなく、丸編地及び横編地を用いることができる。また、経糸として全体的にまたは部分的に弾性糸を用いた織地を用いてもよい。経編地、丸編地、横編地については、編組織によりそれ自体伸縮性を有するものだけではなく、弾性糸を併用したものも含む。
【００５３】
この発明において、伸縮性生地における「伸縮性」は、つぎの２つの条件を共に満たすものであることが好ましい。
【００５４】
伸長率および回復率の双方につき、下記の下限値未満を示すものは伸縮性生地とは言い難く、特に本発明を実施する必要がない。また、下記の上限値を超えるものは本発明の生地の構成のみによっては対応が困難であり、さらに、図柄を拡大、縮小するなど、本発明の生地の構成以外での対応が必要である。
【００５５】
伸度（伸長率）：経方向 ２０〜２００％、緯方向 ５０〜４００％
回復（回復率）：経方向 ７０〜１００％、緯方向 ５０〜１００％
以上の伸度と回復の測定方法と条件はつぎのとおりである。
【００５６】
ＪＩＳ Ｌ １０１８の８．１５．２ Ｂ法（定荷重法）に基づいて測定した。この場合、ＪＩＳ Ｌ １０１８の８．１４．１に規定するカットストリップ法の試験片であって試験幅５ｃｍのものを用い、荷重１．５ｋｇで測定した。ただし、計算式は、ＪＩＳの前記Ｂ法のものを用いることなく、下記の式によった。
【００５７】
伸度％＝［（Ｌ０−Ｌ）／Ｌ］×１００
回復％＝［（Ｌ０−Ｌ２）／（Ｌ０−Ｌ）］×１００
Ｌ、Ｌ０はともにＪＩＳのとおり
Ｌ２は荷重を取り除いた後の印間の長さ（ｃｍ）
なお、図１の実施例においては、前記のとおり、隣接するパターン間の境界部における二重編み部分自体を目印とすることができる。しかし、パターンの柄中に二重編地部分と同様の組織が存在する場合には、その部分をあたかも境界部であるかのように認識し、インクジェット装置などの染色機が誤動作する可能性がある。同様に、境界部における目印をたとえば孔とした場合において、パターンの柄中に孔がある場合には同様に誤動作するので、そのようなパターンの柄の場合には、目印として境界部の孔を用いることはできない。このようにして、パターンの柄によって何を目印として検知させるかは、そのつど染色機において設定する必要がある。
【００５８】
上記のような両面インクジェット機としては、たとえば、特許第２６３２０４２号公報に示すものがある。
【産業上の利用可能性】
【００５９】
この発明は、一般衣料やスポーツ衣料、インナー衣料等の分野において幅広く使用することができ、また、必要に応じて、インテリアなど、それ以外の分野においても利用が可能である。
【図面の簡単な説明】
【００６０】
【図１】この発明を経編地に適用した場合の一実施例を示す概略正面図。
【図２】前図に示す経編地の一部拡大断面図。
【図３】図１の経編地を編成するのに用いる編機の模式図。
【図４】図１の経編地の編成組織図。
【図５】開口部の例を示す概略図。
【図６】図１の経編地を捺染する捺染機の一例を示す概略側面図。
【図７】図１の経編地の境界部ないし境界部に設けた目印を認識する一手段を示す概略側面図。
【図８】図１の経編地の境界部ないし境界部に設けた目印を認識する他の手段を示す図７と同様の概略側面図。
【図９】図１の経編地を染色するインクジェット装置の一例を示す概略側面図。
【符号の説明】
【００６１】
１０  経編地
１２  表側の編地
１４  裏側の編地
１６  パターン
１８  境界部
１９  境界部
２１  目印
５０  開口部
５２  開口部
５４  開口部
６０  捺染機
【図１】
2007182638.tif 000003
【図２】
2007182638.tif 000004
【図３】
2007182638.tif 000005
【図４】
2007182638.tif 000006
【図５】
2007182638.tif 000007
【図６】
2007182638.tif 000008
【図７】
2007182638.tif 000009
【図８】
2007182638.tif 000010
【図９】
2007182638.tif 000011